(57)【要約】      （修正有）【課題】固形石鹸の収納具を兼ねた手が滑らない洗濯用ブラシを得ることを目的とした。【解決手段】固形石鹸の収納具と洗濯用ブラシの機能を兼ね備えた二重のネット製の袋１において、袋の内側を合成樹脂製のフラットネットとし、袋の表側を合成繊維のラッシェル網２とし、袋の口部に口部を締めて封鎖する紐５と、前記紐を通す紐の収納部と、前記紐に摺動可能に装着した止め具６とを備えたことを特徴とする固形石鹸７の収納具と洗濯用ブラシの機能を兼ね備えた二重のネット製の袋。【選択図】図１
0003105571.tif 000002
【実用新案登録請求の範囲】
【請求項１】
固形石鹸の収納具と洗濯用ブラシの機能を兼ね備えた二重のネット製の袋において、袋の内側を合成樹脂製のフラットネットとし、袋の表側を合成繊維のラッシェル網とし、袋の口部に口部を締めて封鎖する紐と、前記紐を通す紐の収納部と、前記紐に摺動可能に装着した止め具とを備えたことを特徴とする固形石鹸の収納具と洗濯用ブラシの機能を兼ね備えた二重のネット製の袋。
【請求項２】
固形石鹸の収納具と洗濯用ブラシの機能を兼ね備えた三重のネット製の袋において、袋の内側を２枚重ねた合成樹脂製のフラットネットとし、袋の表側を合成繊維のラッシェル網とし、袋の口部に口部を締めて封鎖する紐と、前記紐を通す紐の収納部と、前記紐に摺動可能に装着した止め具とを備えたことを特徴とする固形石鹸の収納具と洗濯用ブラシの機能を兼ね備えた三重のネット製の袋。
【請求項３】
固形石鹸の収納具と洗濯用ブラシの機能を兼ね備えた三重のネット製の袋において、袋の内側を合成樹脂製のフラットネット１枚とし、袋の表側を合成繊維のラッシェル網２枚重ね合わせたものとし、袋の口部に口部を締めて封鎖する紐と、前記紐を通す紐の収納部と、前記紐に摺動可能に装着した止め具とを備えたことを特徴とする固形石鹸の収納具と洗濯用ブラシの機能を兼ね備えた三重のネット製の袋。
【請求項４】
固形石鹸の収納具と洗濯用ブラシの機能を兼ね備えた四重のネット製の袋において、袋の内側を３枚重ねた合成樹脂製のフラットネットとし、袋の表側を合成繊維のラッシェル網とし、袋の口部に口部を締めて封鎖する紐と、前記紐を通す紐の収納部と、前記紐に摺動可能に装着した止め具とを備えたことを特徴とする固形石鹸の収納具と洗濯用ブラシの機能を兼ね備えた四重のネット製の袋。
【請求項５】
固形石鹸の収納具と洗濯用ブラシの機能を兼ね備えた四重のネット製の袋において、袋の内側を２枚重ねた合成樹脂製のフラットネットとし、袋の表側を２枚重ねた合成繊維のラッシェル網とし、袋の口部に口部を締めて封鎖する紐と、前記紐を通す紐の収納部と、前記紐に摺動可能に装着した止め具とを備えたことを特徴とする固形石鹸の収納具と洗濯用ブラシの機能を兼ね備えた四重のネット製の袋。
【請求項６】
固形石鹸の収納具と洗濯用ブラシの機能を兼ね備えた三重のネット製の袋において、袋を合成樹脂製のフラットネットを三枚重ねたものとし、袋の口部に口部を締めて封鎖する紐と、前記紐を通す紐の収納部と、前記紐に摺動可能に装着した止め具とを備えたことを特徴とする固形石鹸の収納具と洗濯用ブラシの機能を兼ね備えた三重のネット製の袋。
【請求項７】
固形石鹸の収納具と洗濯用ブラシの機能を兼ね備えた四重のネット製の袋において、袋を合成樹脂製のフラットネットを四枚重ねたものとし、袋の口部に口部を締めて封鎖する紐と、前記紐を通す紐の収納部と、前記紐に摺動可能に装着した止め具とを備えたことを特徴とする固形石鹸の収納具と洗濯用ブラシの機能を兼ね備えた四重のネット製の袋。
【考案の詳細な説明】
【技術分野】
【０００１】  この考案は、固形石鹸の収納具と洗濯用ブラシの機能を備えたネット製の袋に関する。更に詳しくは、二重、三重又は四重にしたネット製の袋に、固形洗濯石鹸を収納して、このネット製の袋をそのまま洗濯用ブラシの替わりに使用して洗濯をし、使用後そのまま石鹸の収納具とし使用できるネット製の袋に関する。
【背景技術】
【０００２】  従来、椎茸の小分けこん包、みかん等の果実のこん包に使用されている合成樹脂製の丸編みしたネットを利用して、ネットに固形石鹸を入れたまま使用し、これを使用しない場合に吊るしておくと水切りが良く、過剰な石鹸の溶けが防止されることが知られていて、簡便な固形石鹸の収納具として利用されている。【０００３】  また、スポンジを合成繊維製の柔軟性を有するネットで包んだ構造の体を洗うボディー洗浄用スポンジが提案されている。さらに、連続セル構造のスポンジ体からなるセル径の異なる２枚を重合したものを袋状に形成し、内部に石鹸収容部を設けた構造の石鹸収納具を兼ねた洗浄具が提案されている（特許文献１参照）。【０００４】また、ファスナーを備えた洗たく石けんの袋の提案がある（特許文献２参照）。【０００５】  さらに、柔軟なゴム板で手提げ状体の壁面に無数の透孔を穿設し、内壁面に硬ゴムの凸条を設け、凸条の上面に鋸歯形の凹凸を設けた屑石鹸使用器が知られている（特許文献３参照）。【０００６】
【特許文献１】            特開２００１−３４６７１２公報（第１頁）
【特許文献２】            実開昭５８−１８５９９４号公報（第１頁）
【特許文献３】            実公昭３２−１６１６８号公報（第１頁）
【考案の開示】
【考案が解決しようとする課題】
【０００７】  現在、家庭で行う洗濯は、洗濯機を使用して行われるのが殆どである。そのため、洗濯用の洗剤は、洗濯機内のぬるま湯又は水に溶解し易い、粉末状又は顆粒状の粉石鹸又は液状石鹸が使用されている。【０００８】  然し乍ら、洗濯対象物によっては、固形石鹸を使用して、洗濯機による洗濯のための前処理の洗濯を行う場合がある。とりわけ、汚れのひどい野球のユニフォーム、スポーツウェアー、ワイシャツの襟首及び袖口などは、固形石鹸又は専用の液体洗剤等で手洗いをして、あらかじめ前洗いして汚れを落とし、その後、洗濯機を使用するのが汚れ物洗濯の常識となっている。【０００９】  前記の前洗いのため、固形石鹸又は前洗い用の専用洗剤を使用する。この場合、強い汚れを手早く落とす道具として、洗濯用ブラシを使うが、石鹸又は洗剤等がブラシの握り又は手に付着して、手がつるつると滑り、ブラシをしっかり握れない状態となり、力を入れた十分な前洗いが出来なくなる等の問題点があった。【００１０】  また、手の滑りの防止のため、その都度手に付着した洗剤を洗い流す等手間がかかり、誠に煩わしいなどの問題点があった。【００１１】  また、通常固形石鹸は、裸のまま使用し、不使用時には、プラスチック製の石鹸箱に収容して保管する。石鹸箱は水はけが悪いものが多く、それに入れて保管すると石鹸が水に溶けて軟らかくなってしまい、その結果石鹸に無駄が生ずるなどの問題点があった。【００１２】  また、この洗濯用ブラシは、尖った毛先の先端で、力を入れて洗濯物の布地を強くこするので、ブラシの毛先の磨耗があって、新しいものと取り替える必要があり、新たなブラシを購入する費用がかかる。【００１３】  また、洗濯用ブラシを使用すると、汚れは良く除去できるが、その半面洗濯物の布地の痛みが激しく、その結果布地が毛羽立ってしまい、衣類の寿命を短縮する欠点があった。
【課題を解決するための手段】
【００１４】  前記問題点に鑑み、前記の諸課題を解決のため、洗濯用ブラシを使わないで、これに替わる機能を果すものを研究した結果、性質の異なる２種類の合成樹繊維又は合成樹脂製ネットを重ね合わせて袋状にし、又は同種のネットを重ね合わせて袋状にし、袋の中に固形石鹸を収納する構成にして前記課題を解決できることを見出した。【００１５】  現在ネットは、ナイロンやポリエステルなどの合成繊維が主流となっているが、ネットの種類は大別すると、結節点の作り方により、結節網、無結節網、ラッシェル網に分けられる。【００１６】  そこで、先ず、洗濯の際のブラシの機能を有すると共に、手の滑りを防止するため、滑り止めの効果がある合成繊維のラッシェル網を採用した。このラッシェル網は、細い糸から編まれたネットであり、網目を形成する紐状に編まれたものの表面は、微細な糸で形成された編目の無数の小さな突起部及び小さな糸のループを多数有する編んだ網である。このラッシェル網の持つ微細な糸で形成された編目の小さな無数の突起部が、洗濯物の表面の汚れを除去するブラシの機能を果たすこと及び細かなループが溶けた石鹸液の起泡に有効に働く。【００１７】  よく知られている通り、ラッシェル網は、あらかじめ原糸を引き揃え整経し、これをループ糸を振り糸として、相互に絡み合わせながら、網糸を編むと同時に網目を作っていく経メリヤス構造の網であり、外見上は結び目がないものである。糸は合成繊維を使用したものである（以下「ラッシェル網」という。）。【００１８】  即ち、袋の表側にラッシェル網を採用し、袋の内側には固形石鹸の移動を防止する目的で、伸縮性の少ない椎茸等のこん包に使用されている結節点を設けていない押し出し成形により生産された合成樹脂製のネットで、引張っていなくても網が縮まないもの（以下「フラットネット」という。）を採用する構成とした。【００１９】  固形石鹸を収納したこの袋で、表側のラッシェル網で洗濯物を擦ると、微細な糸で形成された編目の無数の小さな突起部及び小さな糸のループが、洗濯用ブラシの毛先と同様な働きをするので、布表面に付着した汚れを素早く落とす。また、ラッシェル網には滑り止めの効果があるので、これを手に握った場合密着し、手に石鹸が付着しても、滑らない。
また、袋の内側のフラットネットは、伸縮性が少なく、洗濯の際、袋の中での固形石鹸の移動を防止するから、石鹸を収納した袋を握って楽に洗濯がでる。しかも石鹸又は洗剤が手に付いても手が滑ることがない。また、ブラシを使用する場合と異なり、その都度手に付着した洗剤を洗い流す必要がなく、煩わしさが解消できた。【００２０】  また、フラットネットを３枚又は４枚重ね合わせて袋状に形成し、強い力で汚れを擦りひどい汚れを落とすことができる構成のものも提案する。【００２１】    即ち、固形石鹸の収納具と洗濯用ブラシの機能を兼ね備えた二重のネット製の袋において、袋の内側を合成樹脂製のフラットネットとし、袋の表側を合成繊維のラッシェル網とし、袋の口部に口部を締めて封鎖する紐と、前記紐を通す紐の収納部と、前記紐に摺動可能に装着した止め具とを備えたことを特徴とする固形石鹸の収納具と洗濯用ブラシの機能を兼ね備えた二重のネット製の袋であり、固形石鹸の収納具と洗濯用ブラシの機能を兼ね備えた三重のネット製の袋において、袋の内側を２枚重ねた合成樹脂製のフラットネットとし、袋の表側を合成繊維のラッシェル網とし、袋の口部に口部を締めて封鎖する紐と、前記紐を通す紐の収納部と、前記紐に摺動可能に装着した止め具とを備えたことを特徴とする固形石鹸の収納具と洗濯用ブラシの機能を兼ね備えた三重のネット製の袋である。また、固形石鹸の収納具と洗濯用ブラシの機能を兼ね備えた三重のネット製の袋において、袋の内側を合成樹脂製のフラットネット１枚とし、袋の表側を合成繊維のラッシェル網２枚重ね合わせたものとし、袋の口部に口部を締めて封鎖する紐と、前記紐を通す紐の収納部と、前記紐に摺動可能に装着した止め具とを備えたことを特徴とする固形石鹸の収納具と洗濯用ブラシの機能を兼ね備えた三重のネット製の袋であり、固形石鹸の収納具と洗濯用ブラシの機能を兼ね備えた四重のネット製の袋において、袋の内側を３枚重ねた合成樹脂製のフラットネットとし、袋の表側を合成繊維のラッシェル網とし、袋の口部に口部を締めて封鎖する紐と、前記紐を通す紐の収納部と、前記紐に摺動可能に装着した止め具とを備えたことを特徴とする固形石鹸の収納具と洗濯用ブラシの機能を兼ね備えた四重のネット製の袋である。さらに、固形石鹸の収納具と洗濯用ブラシの機能を兼ね備えた四重のネット製の袋において、袋の内側を２枚重ねた合成樹脂製のフラットネットとし、袋の表側を２枚重ねた合成繊維のラッシェル網とし、袋の口部に口部を締めて封鎖する紐と、前記紐を通す紐の収納部と、前記紐に摺動可能に装着した止め具とを備えたことを特徴とする固形石鹸の収納具と洗濯用ブラシの機能を兼ね備えた四重のネット製の袋である。さらに、固形石鹸の収納具と洗濯用ブラシの機能を兼ね備えた三重のネット製の袋において、袋を合成樹脂製のフラットネットを三枚重ねたものとし、袋の口部に口部を締めて封鎖する紐と、前記紐を通す紐の収納部と、前記紐に摺動可能に装着した止め具とを備えたことを特徴とする固形石鹸の収納具と洗濯用ブラシの機能を兼ね備えた三重のネット製の袋であり、固形石鹸の収納具と洗濯用ブラシの機能を兼ね備えた四重のネット製の袋において、袋を合成樹脂製のフラットネットを四枚重ねたものとし、袋の口部に口部を締めて封鎖する紐と、前記紐を通す紐の収納部と、前記紐に摺動可能に装着した止め具とを備えたことを特徴とする固形石鹸の収納具と洗濯用ブラシの機能を兼ね備えた四重のネット製の袋である。
【考案の効果】
【００２２】  この考案の袋を使用し、固形石鹸を入れたまま洗濯すると、袋の表側をラッシェル網としたので、これで、洗濯物をこすると、洗濯用ブラシの機能があり、ブラシが不要となる。また、効率的に洗濯をすることができ、洗濯用ブラシを使用した場合と汚れの落ち具合は全く遜色がない。ネットを複数枚重ねたものは、固形石鹸が洗濯物に直接接触することがなくなり、重ねたネット同士が擦れ合って、石鹸の泡立ちが極めて良くなり、細かな泡ができ洗濯がし易くなる。【００２３】  さらに、洗濯用ブラシを使用する場合に比較して、強い力が加えられ、汚れがブラシを使用した場合よりも、短時間で且つ少ない労力で汚れを落とすことができ、且つ、布地を傷める程度が、洗濯用ブラシを使用した場合に比較して少ない。【００２４】  固形石鹸が消耗して小さくなっても、最後まで使用することができ、石鹸の無駄が生じない。【００２５】  袋の不使用時には、壁面に設けたフック等に吊るせば、石鹸収納具となり、固形石鹸の水切りと乾燥が同時に速やかに行われ、石鹸の無駄な溶解が防止でき、経済的である。
【考案を実施するための最良形態】
【００２６】  この考案は、固形石鹸の収納具と洗濯用ブラシの機能を兼ね備えた合成繊維及び合成樹脂製ネットを組合わせた袋であり、ネットを２枚、３枚又は４枚を重ね合わせ、袋状に加工したものである。
【００２７】この考案で使用する固形石鹸は、いわゆる市販の固形洗濯石鹸であれば良く、棒状のものも、その他の形状をしたもの又は標準的な大きさでないものであっても、この考案の袋に収納できる大きさ及び形に切断して、これを使用できる。
【００２８】この考案では、機能の異なる２種類の合成繊維のラシェル網及び合成樹脂製のフラットネットを組み合わせたものを使用し、さらに他の考案では、フラットネットを３枚又は４枚重ね合わせたものも提案する。
【００２９】  袋の内側に使用する合成樹脂製のフラットネットは、外側より引き伸ばす力を加えなくても、ネット全体が収縮しない加工が施されたものである。
合成樹脂製のネットは、その素材がナイロン、ポリエチレン、ビニール等何れのものでも使用できる。
【００３０】  袋の外側には、ラッシェル網を使用したが、このタイプのものは、多数の変形タイプのものがある。このネットは、網糸の裏面に細い糸で小さなループが多数設けられた状態のものであるが、網の片面にのみ又は網の両面に小さなループが多数設けられた状態のもの何れのものであっても使用できる。この考案の実施例では、ループが片面にのみ設けられた網目が４ｍｍのものを使用したが、前記の機能を果たすものであれば良く、網目の寸法は好ましくは２ｍｍ〜１０ｍｍであり、２ｍｍに満たないものは、洗浄効果が充分に得られない。また、１０ｍｍを超えるものは、布地を擦る突起の数が少なくなり、汚れを除去する機能が低下するので好ましくない。
【００３１】  前記の性質の異なるネットを組合わせて又はフラットネットを重ね合わせて袋状に形成する。フラットネットの枚数を多くしたものは、握った場合、硬い感触であるが、ラッシェル網を重ねた構成のものは、全体として柔らかな感触がする。
【００３２】  この考案には、ネットを次の構成にしたものが含まれる。洗濯する対象物及び汚れの種類、程度に応じて適宜なものを選択できる。
【００３３】  １．袋の内側がフラットネット１枚、外側がラッシェル網１枚の構成のものである（図３）。
２．袋の内側がフラットネット２枚、外側がラッシェル網１枚の構成のものである（図４）。
３．袋の内側がフラットネット１枚、外側がラッシェル網２枚の構成のものである（図５）。
４．袋の内側がフラットネット３枚、外側がラッシェル網１枚の構成のものである（図６）。
５．袋をの内側がフラットネット２枚、ラッシェル網２枚の構成のものである（図７）。
６．袋をフラットネット３枚重ね合わせた構成としたものである（図８）。
７．袋をフラットネット４枚重ね合わせた構成としたものである（図９）。
【００３４】  ラッシェル網を袋の表側にしたものは、衣類に付いた汚れ（垢、脂分等）通常の汚れを落とすのに適している。
【００３５】  また、フラットネットを袋の表側にしたものは、泥汚れなどを落とすのに適している。フラットネットを重ねると、収納した石鹸の移動が少なくなるので、強い力を加えて、洗濯物を擦ることができる。
また、フラットネット、ラッシェル網とを問わず、ネットを複数枚重ねたものは、固形石鹸が洗濯物に直接接触することがなくなり、重ねたネット同士が擦れ合って、石鹸の泡立ちが極めて良くなり、細かな泡ができ洗濯がし易くなる。
【００３６】  次に、この考案の構造及びその製法について説明する。
【００３７】  前記構成に従って、フラットネットを３枚又は４枚、又はフラットネット及びラッシェル網の２種のネットを２枚、３枚又は４枚重ねて、市販の標準的な大きさの固形洗濯石鹸を収容できる大きさの袋が出来る寸法に裁断した後、両側及び底部を溶着、貼着或いは縫着して袋状に形成する。
【００３８】  袋の口部は、内側に折り返し縫着等をして紐通し部を形成し、これに口部を紐で締めて封鎖する為のループ状にした袋の閉じ紐を通し、紐に摺動可能な紐の留め具を装着する。紐は、木綿など天然素材のもの、合成繊維からなるものの何れのものでもよい。
【００３９】  留め具は、紐を通す孔が、一つの孔に紐を二本纏めて通すタイプのものと、紐を通す孔が二つ設けられていて、それぞれの孔に紐を通すタイプのものがあるが、何れのタイプのものでも採用することができる。
【００４０】  袋の内側のフラットネットは、伸縮性が少なく、収納した固形石鹸が袋の内部での移動を押えることができる。この実施例では、網目が４ｍｍのものを使用したが、前記の機能を果たすものであれば良く、網目の寸法は好ましくは２ｍｍ〜１０ｍｍであり、２ｍｍに満たないものは、洗浄効果が充分に得られない。また、１０ｍｍを超えるものは、石鹸の移動を押える機能が低下し、また、軟化した石鹸にネットが食い込み、石鹸を細断するから、好ましくない。
【００４１】  次に袋の表側は、ラッシェル網であるがラッシェル網の微細な糸で形成された編目の小さな無数の突起部を有するから、これを布地に押し付けて擦ると、洗濯用ブラシを使用した場合と遜色なく、汚れがよく落ちる。
【００４２】  次に、この考案品の使用方法を説明する。
【００４３】  ネット製の袋の口部を開いて、所定の大きさの洗濯石鹸を収納し、次いで閉じ紐を絞って、口部を閉じて、紐に装着してある留め具で止める。洗濯中に袋の中に収納した石鹸が袋から出てしまうのを防止する。
【００４４】  袋の内側のフラットネットは、伸縮性が少なく、袋の中で固形石鹸を固定し、袋の中で石鹸が移動するのを防止し、また、袋の内側のネットと外側のネットが洗濯により摺りあわされて、石鹸の泡立が良くなる。
【００４５】  また、前記の袋に袋の内側に使用したフラットネットをもう１枚重ねて、３重の構造にしたものは、袋の中の石鹸の移動を一層強く防止し、かつ、ネットを２重にした袋のものよりも、外側、中間、内側のネットが相互に擦れ合って、一層泡立ちが良くなる効果がある。
【００４６】  袋の外側のラッシェル網の微細な糸で形成された編目の小さな無数の突起部が布地の汚れを擦って除去し、洗濯用ブラシと同様な機能を果たし、且つ、力を入れて擦っても布地を傷めることが少ない。
【００４７】  洗濯の際、手に石鹸が付着しても、ブラシを使用した場合と異なり、手が滑ることがない。
【００４８】  以下図１〜図９に基づいて、実施例を説明する。図３〜図９は、ネットを重ねた状態の関係が理解できるように表わした断面模式図である。
【実施例１】
【００４９】  ネットを２枚重ね合わせて二重の袋１に構成したものである。
機能の異なる合成樹脂製のフラットネット３及び合成繊維製のラッシェル網２を、２枚重ね合わせて、袋１に構成したものである。図３参照。【００５０】  袋１の内側のフラットネット３は、市販の椎茸をこん包するナイロン製ネットで、網目が４ｍｍのものを使用する。大日本プラスチック（株）社製、商品名ネトロンのフラットタイプ（Ｆ４１０Ｔ）を使用した。
袋１の表側のラッシェル網２は、市販の合成繊維のラッシェル網で、網目が４ｍｍのものを使用した。これは、（株）大創産業社製、商品名ナイロンタオルに使用されているラッシェル網を転用した。【００５１】  内側のフラットネット３と、外側のラッシェル網２を２枚重ね合わせて、長方形に裁断し、左右の両側部、底部、紐５の収納部を縫製して袋１にする。裏返して縫製し、これを裏返すと表側に縫い目が出ないので、美観上及び機能上好ましい。縦１４０ｍｍ×横１１０ｍｍの２重のネット製の縦長の長方形の袋１を作成した。【００５２】  袋１の口部は、口部を内側に折り返して縫着し、紐５の収納部を設け、これに直径１ｍｍの太さの紐５を通し、これをループ状に結ぶ。この紐５に摺動可能に留め具６を装着する。【００５３】  この袋１に固形石鹸７を収納する。固形石鹸７は、市販の固形石鹸７であれば、何れのものでも使用できる。【００５４】  袋１に固形石鹸７を収納した状態で、これをそのまま水につけて、洗濯物を擦って洗濯をし、洗濯用具として洗濯用ブラシと同等の機能を果たし、布表面の汚れを除去することができる。【００５５】  袋１を使用しない時は、壁面のフック等に吊り下げて、石鹸の収納具として使用する。石鹸の水切れがよく、速やかに乾燥する。
【実施例２】
【００５６】  ネットを３枚重ね合わせて三重の袋１に構成したものである。【００５７】  袋１の内側をフラットネット３、３ａを２枚重ねたものとし、表側をラッシェル網２を１枚とし、袋１を三重に重ね合わせた構成にしたものである。図４参照。
その他は、実施例１と同様なので、説明は省略する。
【実施例３】
【００５８】  ネットを３枚重ね合わせて三重の袋１に構成したものである。【００５９】  袋１の内側をフラットネット３を１枚とし、表側をラッシェル網２、２ａを２枚重ねて、袋１を三重に重ね合わせて構成にしたものである。その他は、実施例１と同様なので、説明は省略する。図５参照。
この袋１の表側にラッシェル網２、２ａを２枚重ねた構成のものは、軟らかな感触のものが得られる。
【実施例４】
【００６０】  ネットを４枚重ね合わせて四重の袋１に構成したものである。
袋１の内側をフラットネット３、３ａ、３ｂを３枚を重ねたものとし、袋１の表側をラッシェル網２を１枚とした構成である。その結果、収納した石鹸の移動が少ないので、より力を入れて、布地を強く擦ることができる。図６参照。【００６１】その他は、実施例１と同様なので、説明は省略する。
【実施例５】
【００６２】  ネットを４枚重ね合わせて四重の袋１に構成したものである。
袋の内側をフラットネット３、３ａ２枚を重ねたものとし、袋１の表側にラッシェル網２、２ａを２枚重ねた構成である。図７参照。【００６３】  この袋１の表側にラッシェル網２、２ａを２枚重ねた構成のものは、全体として軟らかな感触のものが得られる。袋１の中に、洗顔用石鹸を収納すれば、体を洗うタオルとしても使用することができる。【００６４】  その他は、実施例１と同様なので、説明は省略する。
【実施例６】
【００６５】    フラットネットを３、３ａ、３ｂと３枚を重ね合わせて、袋１を構成したものである。図８参照。その他は、実施例１と同様なので、説明は省略する。
【実施例７】
【００６６】    フラットネットを３、３ａ、３ｂ、３ｃと４枚を重ね合わせて、袋１を構成したものである。図９参照。その他は、実施例１と同様なので、説明は省略する。
【図面の簡単な説明】
【００６７】
【図１】この考案の袋の洗濯石鹸を収納した状態の斜視図。
【図２】同じく、ネットの一部拡大図。
【図３】同じく、図１中のＡ−Ａの断面模式図。
【図４】同じく、図１中のＡ−Ａのネットを三重にした場合の断面模式図。
【図５】同じく、図１中のＡ−Ａのネットを三重にした場合の断面模式図。
【図６】同じく、図１中のＡ−Ａのネットを四重にした場合の断面模式図。
【図７】同じく、図１中のＡ−Ａのネットを四重にした場合の断面模式図。
【図８】同じく、図１中のＡ−Ａのフラットネットを三重にした断面模式図。
【図９】同じく、図１中のＡ−Ａのフラットネットを四重にした断面模式図。
【符号の説明】
【００６８】１  袋
２、２ａ  ラッシェル網
３、３ａ、３ｂ、３ｃ  フラットネット
５  紐
６  留め具
７  固形石鹸
【図１】
0003105571.tif 000003
【図２】
0003105571.tif 000004
【図３】
0003105571.tif 000005
【図４】
0003105571.tif 000006
【図５】
0003105571.tif 000007
【図６】
0003105571.tif 000008
【図７】
0003105571.tif 000009
【図８】
0003105571.tif 000010
【図９】
0003105571.tif 000011